【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
脳神経外科手術および整形外科手術中に頭蓋骨を安定させる手術用頭部ホルダであって、
前記手術用頭部ホルダは、
手術用テーブルに選択的に連結されるよう適合されたテーブル取り付け部であって、前記テーブル取り付け部は、調節可能な垂直本体、これに調節可能なように交差する、水平の、実質的にＵ字状の棒、および、これから延びて、前記手術用テーブルに連結される取り付け部を含み、前記水平の、実質的にＵ字状の棒は、手術用アクセサリ取り付け用の第１軸と第２軸とを含む平面を定義し、前記第１軸は前記第２軸に対して直角であり、
手術位置から手術切開部へのアクセスを提供する遮られない手術窓と、
前記頭蓋骨の重量を下から支持するよう適合された頭部支持部であって、腹臥位、背臥位、横向き、およびこれらの組み合わせからなる群から選択された状態の前記頭蓋骨を受けるよう構成されており、前記水平の、実質的にＵ字状の棒は前記頭部支持部の下にある、前記頭部支持部と、
前記頭部支持部に連結され、その外周を少なくとも部分的に取り囲む基部であって、それぞれのチャネルを有し、前記テーブル取り付け部に調節可能に連結された前記基部と、
前記基部の前記チャネルそれぞれの周囲に調節可能なように配置され固定された複数の位置決めサブアセンブリであって、前記複数の位置決めサブアセンブリのそれぞれは、頭蓋骨ピンを受けるよう構成されており、前記頭蓋骨ピンの弓形ベースに対する、水平方向、垂直方向、および角度的な位置決めを調節可能とするよう構成されている、前記複数の位置決めサブアセンブリと、
前記頭蓋骨を安定させるために前記頭蓋骨に横方向の個別の圧力をかけるよう適合された前記頭蓋骨ピンそれぞれであって、前記頭蓋骨ピンのそれぞれは、重量を支持しない、前記頭蓋骨ピンそれぞれと、
実質的に前記Ｕ字状の棒に連結された少なくとも１つの手術用アクセサリと
を備え、
前記頭部支持部は、前記頭蓋骨を安定させ、支持と固定という２つの機能を分離させるために、前記頭蓋骨の重量を支持するよう構成され、前記頭蓋骨ピンは、横方向の個別の圧力を提供するよう構成されている、手術用頭部ホルダ。
【請求項２】
手術中に切開部の組織、膜、臓器を開創位置に保持するための手術用開創器をさらに備え、
前記手術用開創器は、
２つの環状部材であって、各環状部材が、遮られない平面状の上面を含み、連続した、周囲に外向きに開口したチャネルを外縁に含む、前記２つの環状部材と、
前記２つの環状部材のそれぞれに接続された支持装置であって、前記支持装置のそれぞれは、対応する環状部材を、前記手術切開部の上の位置に保持するよう構成されており、前記支持装置のそれぞれは、前記外向きに開口したチャネルの下方で環状部材に搭載され、その外縁から外向きに突出している、前記支持装置であって、前記支持装置のそれぞれは、水平方向の前記Ｕ字状の棒に固定されている、前記支持装置と、
前記外向きに開いたチャネルの１つの内部にスライド可能に捉えられる突起をもつ開創器アームホルダであって、前記開創器アームホルダは、前記２つの環状部材の１つから外向きに延び、前記突起は、前記外向きに開口したチャネル内を、前記環状部材の外周の周りに可動であることで、前記アームホルダをそれに沿った所望の位置に位置させる、前記開創器アームホルダと、
取り付けられた刃をもつ開創アームであって、前記開創アームは、前記アームホルダの、前記環状部材の外側に搭載され、前記開創アームは、関連付けられた前記環状部材の下であって内側を通るよう構成されている、前記開創アームと、
を備え、
前記開創器アームホルダは、前記外向きに開口したチャネルの周りを、前記支持装置のうちの１つを超えて、そこからの邪魔を受けずに可動であり、前記切開部に対して刃を位置させ、
前記手術用開創器は、前記手術中に、前記手術切開部に、遮られずアクセスするための窓と、外科医の手を安定させるガイドレストとを提供する、不連続の、遮られない上面を提供する、請求項１に記載の手術用頭部ホルダ。
【請求項３】
前記２つの環状部材はそれぞれ、さらに、遮られない平面状の上面、遮られない平面状の下面、および、連続した、周囲に外向きに開口したチャネルを各外縁に含む、請求項２に記載の手術用頭部ホルダ。
【請求項４】
画像ガイダンスハードウェアフレームをさらに備え、前記画像ガイダンスハードウェアフレームは、前記基部の近くの前記垂直本体に固定された、対応している星型取り付け部と係合する星型取り付けサイトを有する、請求項１から３の何れか１項に記載の手術用頭部ホルダ。
【請求項５】
開創アームによって前記垂直本体に調節可能に固定されたミラーをさらに備える、請求項１から４の何れか１項に記載の手術用頭部ホルダ。
【請求項６】
開創アームによって水平方向の前記Ｕ字状の棒に調節可能に固定されたミラーをさらに備える、請求項１から５の何れか１項に記載の手術用頭部ホルダ。
【請求項７】
前記テーブル取り付け部に連結された第２の脳神経外科手術用アクセサリをさらに備える、請求項１から６の何れか１項に記載の手術用頭部ホルダ。
【請求項８】
脳神経外科手術および整形外科手術中に頭蓋骨を安定させる手術用頭部ホルダであって、
前記手術用頭部ホルダは、
手術用テーブルに選択的に連結されるよう適合されたテーブル取り付け部であって、前記テーブル取り付け部は、調節可能な垂直本体、これに調節可能なように交差する、水平の、実質的にＵ字状の棒、および、これから延びて、前記手術用テーブルに連結される取り付け部を含み、前記水平の、実質的にＵ字状の棒は、手術用アクセサリ取り付け用の第１軸と第２軸とを含む平面を定義し、前記第１軸は前記第２軸に対して直角であり、
手術位置から手術切開部へのアクセスを提供する遮られない手術窓と、
前記頭蓋骨の重量を下から支持するよう適合された頭部支持部であって、腹臥位、背臥位、横向き、およびこれらの組み合わせからなる群から選択された状態の前記頭蓋骨を受けるよう構成されており、前記水平の、実質的にＵ字状の棒は前記頭部支持部の下にある、前記頭部支持部と、
前記頭部支持部に連結され、その外周を少なくとも部分的に取り囲む基部であって、それぞれのチャネルを有し、前記テーブル取り付け部に調節可能に連結された前記基部と、
前記基部の前記チャネルそれぞれの周囲に調節可能なように配置され固定された複数の位置決めサブアセンブリであって、前記複数の位置決めサブアセンブリのそれぞれは、頭蓋骨ピンを受けるよう構成されており、前記頭蓋骨ピンの弓形ベースに対する、水平方向、垂直方向、および角度的な位置決めを調節可能とするよう構成されている、前記複数の位置決めサブアセンブリと、
前記頭蓋骨を安定させるために前記頭蓋骨に横方向の個別の圧力をかけるよう適合された前記頭蓋骨ピンそれぞれであって、前記頭蓋骨ピンのそれぞれは、重量を支持しない、前記頭蓋骨ピンそれぞれと、
２つの環状部材であって、各環状部材が、遮られない平面状の上面を含み、連続した、周囲に外向きに開口したチャネルを外縁に含む、前記２つの環状部材と、
前記２つの環状部材のそれぞれに接続された支持装置であって、前記支持装置のそれぞれは、対応する環状部材を、前記手術切開部の上の位置に保持するよう構成されており、前記支持装置のそれぞれは、前記外向きに開口したチャネルの下方で環状部材に搭載され、その外縁から外向きに突出している、前記支持装置であって、前記支持装置のそれぞれは、水平方向の前記Ｕ字状の棒に固定されている、前記支持装置と、
を備え、
前記頭部支持部は、前記頭蓋骨を安定させ、支持と固定という２つの機能を分離させるために、前記頭蓋骨の重量を支持するよう構成され、前記頭蓋骨ピンは、横方向の個別の圧力を提供するよう構成されており、
前記２つの環状部材は、ガイドレストの面を提供する、手術用頭部ホルダ。
【請求項９】
手術中に切開部の組織、膜、臓器を開創位置に保持するための手術用開創器をさらに備え、
前記手術用開創器は、
前記外向きに開いたチャネルの１つの内部にスライド可能に捉えられる突起をもつ開創器アームホルダであって、前記開創器アームホルダは、前記２つの環状部材の１つから外向きに延び、前記突起は、前記外向きに開口したチャネル内を、前記環状部材の外周の周りに可動であることで、前記アームホルダをそれに沿った所望の位置に位置させる、前記開創器アームホルダと、
取り付けられた刃をもつ開創アームであって、前記開創アームは、前記アームホルダの、前記環状部材の外側に搭載され、前記開創アームは、関連付けられた前記環状部材の下であって内側を通るよう構成されている、前記開創アームと
を備え、
前記開創器アームホルダは、前記外向きに開口したチャネルの周りを、前記支持装置のうちの１つを超えて、そこからの邪魔を受けずに可動であり、前記切開部に対して刃を位置させ、
前記手術用開創器は、前記手術中に、前記手術切開部に、遮られずアクセスするための窓と、外科医の手を安定させるガイドレストとを提供する、不連続の、遮られない上面を提供する、請求項８に記載の手術用頭部ホルダ。
【請求項１０】
前記２つの環状部材はそれぞれ、さらに、遮られない平面状の上面、遮られない平面状の下面、および、連続した、周囲に外向きに開口したチャネルを各外縁に含む、請求項９に記載の手術用頭部ホルダ。
【手続補正２】
【補正対象書類名】図面
【補正対象項目名】全図
【補正方法】変更
【補正の内容】
【図１】
2014531221.tif 000001
【図２】
2014531221.tif 000002
【図３】
2014531221.tif 000003
【図４】
2014531221.tif 000004
【図５】
2014531221.tif 000005
【図６】
2014531221.tif 000006
【図７】
2014531221.tif 000007
【図８】
2014531221.tif 000008
【図９】
2014531221.tif 000009
【図１０】
2014531221.tif 000010